(57)【要約】【課題】防磁リングを安価に保持することを可能とするとともに誘導加熱による振動を抑制すること。【解決手段】コイルケース６と防磁リング１５は、防振ゴム１６が嵌着する部分に相対する第１コイルケース開口部６ｄ、第２防磁リング開口部１５ｂを有し、防振ゴム１６は、コイルケース６と嵌着する第１嵌合片１６ｃと、防磁リング１５と嵌着する第２嵌合片１６ｂを設けて誘導加熱コイル５を保持するコイルケース６と防磁リング１５を防振ゴム１６により締結し、振動を抑制すること。【選択図】図８
2013127904.tif 000002
【特許請求の範囲】
【請求項１】
本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースは前記防振ゴムを嵌着する部分に突起部を設けるとともに、第１突起部周辺開口部を設け、前記防磁リングは前記突起部と相対する位置に第２開口部を設けて、前記防振ゴムは前記コイルケースと嵌合する係合片を設けて、前記突起部と前記第２開口部により前記防磁リングが嵌合されて、前記防振ゴムは前記突起部上方から嵌着される誘導加熱調理器。
【請求項２】
本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースと前記防磁リングは、前記防振ゴムが嵌着する部分に相対する第１コイルケース開口部、第２防磁リング開口部を有し、前記防振ゴムは、前記コイルケースと嵌着する第１嵌合片と、前記防磁リングと嵌着する第２嵌合片を設けた誘導加熱調理器。
【請求項３】
前記防振ゴム、前記突起部、前記第１突起部周辺開口部、前記第２開口部を少なくとも２箇所以上設けた請求項１に記載の誘導加熱調理器。
【請求項４】
前記防振ゴム、前記第１コイルケース開口部、前記第２防磁リング開口部を少なくとも２箇所以上設けた請求項２に記載の誘導加熱調理器。
【請求項５】
第２嵌合片により前記コイルケースと防磁リングに隙間を設けたことを特徴とする請求項４に記載の誘導加熱調理器。
【発明の詳細な説明】
【技術分野】
【０００１】
本発明は、一般家庭で使用する誘導加熱調理器に関するものである。
【背景技術】
【０００２】
従来、この種の誘導加熱調理器は、誘導加熱コイルユニットに誘導加熱コイルから発生する漏洩磁界を抑制するための防磁リングを取り付けたものが実施されている。
【０００３】
誘導加熱調理器の誘導加熱コイルユニットに防磁リングを装着するものが特許文献１に記載されている。
【０００４】
従来では、防振ゴム１１６は、図１０に示すようにコイルケース１０６の外周にコイルケース１０６の一部として防振ゴム保持部１０６ａが設けられていた。よって、防磁リング１１５の保持とは別であった。
【先行技術文献】
【特許文献】
【０００５】
【特許文献１】特開２０１１−０１４３４３号公報
【発明の概要】
【発明が解決しようとする課題】
【０００６】
しかしながら、従来の構成では、防磁リングをコイルケースに保持する際、締結部材主にビスによる作業が必要であったため、材料費や工数がかかりコストが高いという課題を有するとともに電磁誘導現象によるフレミングの左手則の電磁力により、防磁リングに振動が発生し、少なからず騒音となっていた。
【０００７】
本発明は、前記従来の課題を解決するもので、本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースは前記防振ゴムを嵌着する部分に突起部を設けるとともに、第１突起部周辺開口部を設け、前記防磁リングは前記突起部と相対する位置に第２開口部を設けて、前記防振ゴムは前記コイルケースと嵌合する係合片を設けて、前記突起部と第２開口部により前記防磁リングが嵌合されて、前記防振ゴムは前記突起部上方から嵌着されることを特徴とする誘導加熱調理器である。前記防磁リングを安価に保持することを可能とするとともに誘導加熱による振動を抑制する誘導加熱調理器を提供することを目的とする。
【課題を解決するための手段】
【０００８】
本発明の誘導加熱調理器は、本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースは前記防振ゴムを嵌着する部分に突起部を設けるとともに、第１突起部周辺開口部を設け、前記防磁リングは前記突起部と相対する位置に第２開口部を設けて、前記防振ゴムは前記コイルケースと嵌合する係合片を設けて、前記突起部と第２開口部により前記防磁リングが嵌合されて、前記防振ゴムは前記突起部上方から嵌着される構成としたものである。
【０００９】
これによって、誘導加熱調理器は、誘導加熱コイルとこれを保持するコイルケースにお
いて、構成を簡素化し、従来ではコイルケース外周部に別構造で必要としていた防振ゴム保持部を削減するとともに、締結部材も不要となることで、構成部品が従来に比べ減らすことができ、直接材料費や組立工数を削減することが可能となる。また、誘導加熱コイルに電流を流すことによって発生した電磁力による振動を受ける防磁リングを直接防振ゴムで保持することにより、振動を抑制して、振動による耳障りな音を抑制することができる。よって、安価で低騒音となる誘導加熱調理器を提供することが可能となる。
【００１０】
また、本発明の誘導加熱調理器は、本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースと前記防磁リングは、前記防振ゴムが嵌着する部分に相対する第１コイルケース開口部、第２防磁リング開口部を有し、前記防振ゴムは、前記コイルケースと嵌着する第１嵌合片と、前記防磁リングと嵌着する第２嵌合片を設けた構成としたものである。
【００１１】
これによって、誘導加熱調理器は、誘導加熱コイルとこれを保持するコイルケースにおいて、構成を簡素化し、従来ではコイルケースの外周部に別構造で必要としていた防振ゴム保持部を兼ね備えることが可能となる。また、誘導加熱コイルに電流を流すことによって発生した電磁力による振動を受ける防磁リングを直接防振ゴムで保持することにより、振動を抑制して、振動による耳障りな音を抑制することができる。よって、安価で低騒音となる誘導加熱調理器を提供することが可能となる。
【００１２】
また、本発明の誘導加熱調理器は、防振ゴム、突起部、第１突起部周辺開口部、第２開口部を少なくとも２箇所以上設けた構成とするものである。
【００１３】
これによって、誘導加熱調理器は、誘導加熱コイルとこれを保持するコイルケースにおいて、複数箇所で支えることができ、振動を抑制するレベルに応じて、変更することが可能となり、より振動による騒音を抑制することが可能となる。よって、より低騒音な誘導加熱調理器を提供することが可能となる。
【００１４】
また、本発明の誘導加熱調理器は、防振ゴム、第１コイルケース開口部、第２防磁リング開口部を少なくとも２箇所以上設けた構成とするものである。
【００１５】
これによって、誘導加熱調理器は、誘導加熱コイルとこれを保持するコイルケースにおいて、複数箇所で支えることができ、振動を抑制するレベルに応じて、変更することが可能となり、より振動による騒音を抑制することが可能となる。よって、より低騒音な誘導加熱調理器を提供することが可能となる。
【００１６】
また、本発明の誘導加熱調理器は、第２嵌合片によりコイルケースと防磁リングに隙間を設けた構成とするものである。
【００１７】
これによって、誘導加熱調理器は、誘導加熱コイルとこれを保持するコイルケースにおいて、第２嵌合片により防磁リングとコイルケースに隙間を設けることで、防磁リングの振動をコイルケースに伝達することを抑制し、より振動を抑制することが可能となる。それによって、より低騒音な誘導加熱調理器を提供することが可能となる。
【発明の効果】
【００１８】
本発明は、前記従来の課題を解決するもので、構成を簡素化するとともに振動源に近い部分で振動を抑制する効果を発揮する。
【図面の簡単な説明】
【００１９】
【図１】本発明の実施の形態１における構成の斜視図
【図２】本発明の実施の形態１における構成の内部斜視図
【図３】本発明の実施の形態１における誘導加熱コイル保持部の詳細図
【図４】本発明の実施の形態１における誘導加熱コイル保持部の（防振ゴムを嵌着していない状態）詳細図
【図５】本発明の実施の形態１における誘導加熱コイル保持部の（突起部周辺）詳細図
【図６】本発明の実施の形態１における誘導加熱コイル保持部の上方からの詳細図
【図７】本発明の実施の形態１における誘導加熱コイル保持部の下方からの詳細図
【図８】本発明の実施の形態２における誘導加熱コイル保持部の詳細図
【図９】本発明の実施の形態２における誘導加熱コイル保持部の（防振ゴムを嵌着していない状態）詳細図
【図１０】従来の誘導加熱コイル保持部の詳細図
【発明を実施するための形態】
【００２０】
第１の発明は、本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースは前記防振ゴムを嵌着する部分に突起部を設けるとともに、第１突起部周辺開口部を設け、前記防磁リングは前記突起部と相対する位置に第２開口部を設けて、前記防振ゴムは前記コイルケースと嵌合する係合片を設けて、前記突起部と第２開口部により前記防磁リングが嵌合されて、前記防振ゴムは前記突起部上方から嵌着されることにより、締結部材により取り付けていた直接部材を削減するとともに作業工数を削減することができる。さらに、誘導加熱コイルに電流を流すことによって発生した電磁力による振動を受ける防磁リングを直接防振ゴムで保持することにより、振動を抑制して、振動による耳障りな音を抑制することができる。このようにして、安価で低騒音となる誘導加熱調理器を提供することが可能となる。
【００２１】
第２の発明は、本体と、前記本体の天面に配された被加熱調理器を載置する天板と、前記天板の下方に設けられた誘導加熱コイルと、前記誘導加熱コイルを保持するコイルケースと、前記コイルケースに載置される防磁リングと、前記コイルケースと前記防磁リングとを上方から嵌着する防振ゴムとを備え、前記コイルケースと前記防磁リングは、前記防振ゴムが嵌着する部分に相対する第１コイルケース開口部、第２防磁リング開口部を有し、前記防振ゴムは、前記コイルケースと嵌着する第１嵌合片と、前記防磁リングと嵌着する第２嵌合片を設けた構成とすることにより、締結部材により取り付けていた直接部材を削減するとともに作業工数を削減することができる。さらに、誘導加熱コイルに電流を流すことによって発生した電磁力による振動を受ける防磁リングを直接防振ゴムで保持することにより、振動を抑制して、振動による耳障りな音を抑制することができる。このようにして、安価で低騒音となる誘導加熱調理器を提供することが可能となる。
【００２２】
第３の発明は、特に第１の発明において、本発明の誘導加熱調理器は、防振ゴム、突起部、第１突起部周辺開口部、第２開口部を少なくとも２箇所以上設けた構成とすることにより
複数箇所で支えることができ、振動を抑制するレベルに応じて、変更することが可能となり、より振動による騒音を抑制することが可能となる。よって、より低騒音な誘導加熱調理器を提供することが可能となる。
【００２３】
第４の発明は、特に第２の発明において、防振ゴム、第１コイルケース開口部、第２防磁リング開口部を少なくとも２箇所以上設けた構成とすることにより
複数箇所で支えることができ、振動を抑制するレベルに応じて、変更することが可能となり、より振動による騒音を抑制することが可能となる。よって、より低騒音な誘導加熱調理器を提供することが可能となる。
【００２４】
第５の発明は、特に第２の発明において、第２嵌合片によりコイルケースと防磁リングに隙間を設けた構成とすることにより、第２嵌合片により防磁リングとコイルケースに隙間を設けることで、防磁リングの振動をコイルケースに伝達することを抑制し、より振動を抑制することが可能となる。それによって、より低騒音な誘導加熱調理器を提供することが可能となる。
【００２５】
（実施の形態１）
以下、本発明の第１の実施の形態について図面を用いて説明する。なお、この実施の形態によって本発明が限定されるものではない。
【００２６】
図１は本発明の実施の形態１における斜視図である。本発明の実施形態における加熱調理器である誘導加熱調理器の主要構成部品を示すものである。但し、実施形態の説明に不要な構成部分については主要構成であっても省略している。
【００２７】
誘導加熱調理器は、本体１の天面には、被加熱調理器具を載置するトッププレート２が配されている。トッププレート２は高耐熱のガラス等の、電磁誘導によって加熱されない材質で構成されている。トップフレーム３は、トッププレート２の外周を囲み、本体の天面の一部もしくは殆ど全部を構成しており、トッププレート２を介して伝わる、被加熱物からの熱に十分耐え、且つ外観部品として見栄えのよく、腐食にも強いステンレスやホーロー処理鋼板等の金属から成っている。
【００２８】
さらに内部であるが、図２の内部斜視図に示すように、トップフレーム３に形成された天面操作部４の内部には、操作部ユニット等が配設されている。トッププレート２の下方には誘導加熱コイル５が近接して設けられている。誘導加熱コイル５はコイルケース６に収納され、本体１内の所定の位置に保持されている。誘導加熱コイル５には電源回路７によって高周波電力が供給されトッププレート２に載置された鍋を誘導加熱する。誘導加熱コイル５及び電源回路７は冷却ファン８の送風によって冷却される。
【００２９】
本体１内には略箱形状のグリル加熱室１０が配設されており、グリル加熱室１０内に発熱して被加熱物を加熱するグリルヒーター１１によって加熱調理を行う。グリル加熱室１０内には、調理物を載せる焼き網１２を載置した受け皿１３を収納してある。グリル使用時はグリル加熱室１０の開口部を覆うグリル扉１４は受け皿１３に嵌着されており、グリル扉１４と受け皿１３は連動して前後に摺動する。
【００３０】
ここで、図３に誘導加熱コイル５を含むユニットの詳細を示す。前述のように、誘導加熱コイル５は、誘導加熱コイル５とその他金属部品との電気絶縁を考慮するため樹脂製のコイルケース６で保持されている。さらに、誘導加熱コイル５の外周近傍には誘導加熱コイル５に高周波電力が供給された際に発生する漏洩磁界を効率よく抑制するアルミなどの金属製の防磁リング１５が設けられている。防磁リング１５は、誘導加熱による渦電流を流すことにより漏洩磁界を打ち消している。また、誘導加熱現象により誘導加熱コイル５や防磁リング１５は、フレミングの左手則による電磁力を受けており、高周波磁界であるため加熱コイルに給電する周波数によって、振動している。また、防磁リング１５の上方には防振ゴム１６が複数箇所取り付けられている。図４、５には、防振ゴム１６が挿入される箇所の詳細を示す。コイルケース６の一部を突起状とした突起部６ｂを設けて、突起部６ｂ周辺には防振ゴム１６を挿入するための、第１突起部周辺開口部６ｃを合わせて設けている。防磁リング１５には、突起部６ｂに相対する位置に第２開口部１５ａを備え、
突起部６ｂにより嵌合することが可能である。図６、図７に、防振ゴム１６が突起部６ｂの上方から嵌着される部分を示す。防振ゴム１６は、コイルケース６に設けられた第１突起部周辺開口部６ｃに係合片１６ａを圧入気味に挿入し、コイルケース６の裏側で係合片１６ａにより係止される。このことにより、防磁リング１５を防振ゴム１６により係止することが可能となる。
【００３１】
このことにより、誘導加熱コイル５から発生した電磁力による振動を従来のコイルケース６の外側で、誘導加熱コイルユニットとして抑制することに比べて、振動源である防磁リング１５と誘導加熱コイル５の近傍で防振効果を得ることが可能となる。さらに、従来では、防磁リング１５のみを締結する部材が必要であったが、防振ゴム１６がその役割を果たすことにより、直接材料費や組立工数の削減に繋がり、製品を安価にすることが可能となる。また、図中では一箇所のみを拡大しているが、図３のように防振ゴム１６を含む部分は複数配置することで、振動をより抑制することが可能となり、不快な騒音についても抑制しやすくなる。
【００３２】
（実施の形態２）
以下、本発明の第２の実施の形態について図面を用いて説明する。なお、この実施の形態によって本発明が限定されるものではない。
【００３３】
本体の構成は実施の形態１（図１、２）と同様であるが、誘導加熱コイル５を含む部分の詳細を図８に示す。防磁リング１５は、防振ゴム１６の第２嵌合片１６ｂによりコイルケース６と隙間を設けており、第１嵌合片１６ｃによりコイルケース６に嵌着される。図９には、防振ゴム１６を嵌着する前の状態を示す。コイルケース６には、第１コイルケース開口部６ｄが設けられ、防磁リング１５には第２防磁リング開口部１５ｂが設けられており、防振ゴム１６を挿入できるようになっている。
【００３４】
このことにより、第２嵌合片１６ｂによりコイルケース６と防磁リング１５の間に隙間を設けたことで、誘導加熱現象による力による防磁リング１５の振動がコイルケース６に伝達することを抑制するとともに、防振ゴム１６によって直接部材同士を締結することで防振効果を発揮することができる。さらに、この場合はコイルケース６の加工が簡素化できる。さらに、従来の構成に比べて締結部材の役割を防振ゴム１６が兼ねることにより、直接材料費および組立工数を削減することができ、安価な背品を提供することが可能となる。このようにして、安価で、低騒音となる誘導加熱調理器となるのである。
【００３５】
構成の説明図は、据置タイプの加熱調理器であるが、誘導加熱コイルを用いる構成の調理器であれば、同様の効果を発揮することはいうまでもない。
【産業上の利用可能性】
【００３６】
以上のように、本発明にかかる誘導加熱調理器は、安全で使い勝手の良い加熱調理器であり、システムキッチンなどに組み込まれて使用されるその他の機器についても適用できるものである。また、組込式以外のものについても適用できるものである。
【符号の説明】
【００３７】
１  本体
２  トッププレート
３  トップフレーム
４  天面操作部
５  誘導加熱コイル
６  コイルケース
７  電源回路
８  冷却ファン
９  操作部
１０  グリル加熱室
１１  グリルヒーター
１２  焼き網
１３  受け皿
１４  グリル扉
１５  防磁リング
１６  防振ゴム
６ａ  防振ゴム保持部
６ｂ  突起部
６ｃ  第１突起部周辺開口部
１５ａ  第２開口部
１６ａ  係合片
１６ｂ  第２嵌合片
１６ｃ  第１嵌合片
６ｄ  第１コイルケース開口部
１５ｂ  第２防磁リング開口部
【図１】
2013127904.tif 000003
【図２】
2013127904.tif 000004
【図３】
2013127904.tif 000005
【図４】
2013127904.tif 000006
【図５】
2013127904.tif 000007
【図６】
2013127904.tif 000008
【図７】
2013127904.tif 000009
【図８】
2013127904.tif 000010
【図９】
2013127904.tif 000011
【図１０】
2013127904.tif 000012